(57)【要約】【課題】語学練習においては、自分の音声を電気的に録音し、再生して聞くのは、手間がかかる。また、バケツを被って歌の練習をする方法は、奇妙な光景になるので練習意欲は湧かないし、実際の自分の声とは程遠いこもった音になり良い結果が得られない大きな問題がある。【解決手段】頭や首に装着する保持手段を用いて、音声反射板を人の口に対面させる。そして、自分の声を音声反射板で反射させて聞く。さらに、頭と音声反射板との距離を十分確保する事で、反射音をこもる事なくリアルな音声にする。【選択図】  図１
2016138919.tif 000002
【特許請求の範囲】
【請求項１】
音声反射板と装着手段で構成し、該音声反射板は該装着手段に取り付けられ、該装着手段は人の頭または首に装着する構造で、該装着手段を該頭または該首に装着した時、該音声反射板を該人の口に対面配置させると共に、該音声反射板の縁の内、８０％以上の長さの該縁を、該頭および該装着手段から２ｃｍ以上の距離に保つ事ができる発声練習器具。
【請求項２】
首掛けフレームと該音声反射板の取り付けフレームで該装着手段を構成し、該首掛けフレームと該取り付けフレームは固定されるか接続可能であり、該首掛けフレームを該首に巻き付けて装着すると、該取り付けフレームに取り付けた該音声反射板が該口に対面配置する請求項１記載の発声練習器具。
【請求項３】
ヘッドバンドと該取付フレームで該装着手段を構成し、該ヘッドバンドの先端は概略輪になっていて、該輪から該取付フレームが伸び、該ヘッドバンドをヘッドホンのように該頭に装着すると、該輪は該耳の周りに配置され、該取り付けフレームに取り付けた該音声反射板は該口に対面配置する請求項１に記載の発声練習器具。
【請求項４】
ヘルメットと該取り付けフレームで該装着手段を構成し、該取り付けフレームは該ヘルメットから伸びる角状のフレームであり、該ヘルメットを該頭に被ると、該取り付けフレームに取り付けた該音声反射板が該口に対面配置する請求項１に記載の発声練習器具。
【請求項５】
耳掛けフレームと鼻掛けフレームからなる眼鏡フレームと該取り付けフレームで該装着手段を構成し、該耳掛けフレームの先端から該取り付けフレームが延伸する構造で、該耳かけフレームを該耳に装着し、該鼻掛けフレームを鼻に装着すると、該取り付けフレームに取り付けた該音声反射板が該口に対面配置する請求項１の発声練習器具。
【請求項６】
該音声反射板の角度調節手段を備え、該角度調節手段を操作する事で、該音声反射板の該口に対面する角度を変えられる該装着手段である請求項１あるいは請求項２あるいは請求項３あるいは請求項４あるいは請求項５に記載の発声練習器具。
【請求項７】
高さ調節手段を備え、該高さ調節手段を操作する事で、該音声反射板の肩からの高さを変えられる該装着手段である請求項１あるいは請求項２あるいは請求項３あるいは請求項４あるいは請求項５あるいは請求項６に記載の発声練習器具。
【請求項８】
対面距離調節手段を備え、該対面距離調節手段を操作する事で、該音声反射板の該頭からの距離を変えられる該装着手段である請求項１あるいは請求項２あるいは請求項３あるいは請求項４あるいは請求項５あるいは請求項６あるいは請求項７に記載の発声練習器具。
【発明の詳細な説明】
【技術分野】
【０００１】
自身の発する音声を聞いて、語学や歌を練習する器具に関する。
【背景技術】
【０００２】
従来、語学の発音を練習する時、録音した自分の音声を再生して、スピーカーやヘッドホンで聞いて修正する。一方、カラオケではバケツ練習方法なるものがある。それはバケツを頭に被って歌い、自分の声をバケツの中で反射させて練習する方法である。
【先行技術文献】
【特許文献】
【０００３】
【特許文献１】特開平７−２９５４７０
【発明の概要】
【発明が解決しようとする課題】
【０００４】
自分の音声を電気的に録音し、再生して聞くのは手間が掛り面倒である。さらに、一度電気信号に変換すると、実際の音声に含まれる微妙な音が消失し、リアリティが減少してしまう。
【０００５】
また、バケツを被って歌の練習をするのは、奇妙な光景になるので練習意欲は湧かないし、歌詞を見る事ができない問題もある。その上、実際の自分の声とは程遠いこもった音になり良い結果が得られない大きな問題がある。
【課題を解決するための手段】
【０００６】
上記課題を解決するため、本発明では、装着手段を用いて音声反射板を人の口に対面配置して自分の声をその音声反射板で反射させる。さらに、音声反射板の縁の８０％以上が、頭および装着手段との距離を２ｃｍ以上離れるようにする事で、こもらないリアルな反射音にする特徴がある。
【０００７】
また、本発明は、装着手段を首掛けフレームと取付フレームで構成し、首掛けフレームの先に、音声反射板が付いた取り付けフレームを接続する構造である。すなわち、首掛けフレームを首に巻き付けて装着すると、取り付けフレームに取り付けた音声反射板が口に対面配置する特徴がある。
【０００８】
また、本発明は、装着手段をヘッドバンドと取付フレームで構成し、ヘッドバンドの先端を概略輪にして、その先から音声反射板が付いた取付フレームが伸びる構造である。すなわち、ヘッドバンドをヘッドホンのように頭に装着すると、輪は耳を覆う事なく耳の周りに配置され、取り付けフレームに取り付けた音声反射板が口に対面配置する特徴がある。
【０００９】
また、本発明は、装着手段をヘルメットと取付フレームで構成し、ヘルメットから音声反射板が付いた取り付けフレームが伸びる構造である。すなわち、ヘルメットを頭に被ると、取り付けフレームに取り付けた音声反射板が口に対面配置する特徴がある。
【００１０】
また、本発明は、装着手段を眼鏡フレームと取付フレームで構成し、眼鏡フレームから音声反射板が付いた取り付けフレームが伸びる構造である。すなわち、眼鏡フレームを耳と鼻に装着すると、取り付けフレームに取り付けた音声反射板が口に対面配置する特徴がある。
【００１１】
また、本発明は、装着手段に付けた角度調節手段で、音声反射板の口に対面する角度を調節する特徴がある。
【００１２】
また、本発明は、装着手段に付けた高さ調節手段で、音声反射板の肩からの高さを調節する特徴がある。
【００１３】
また、本発明は、装着手段に付けた対面距離調節手段で、音声反射板の頭からの距離を調節する特徴がある。
【発明の効果】
【００１４】
音声反射板を使用して、自分の発した音声を反射させた音は、一度電気信号に変換して再生する音と違って、実際の音声に含まれる微妙な音も含まれる。その上、音の立ち上がりなど、リスポンスが早いので、リアリティのある音を聞く事ができる効果がある。そして、フレームで制作する軽量な保持手段で、音声反射板を口に対面配置させると共に、音声反射板を頭から離して設置するので、音声反射板と頭の間にできる共鳴音やこもり音の発生を抑える効果がある。すると、語学練習や歌の練習において、ありのままの自分の音声を聞く事ができるので、発音や音程を的確に修正できる効果は大きい。また、音声反射板の口に対する対面角度、肩からの高さ、口からの距離を調節する。すると、体型の異なる利用者が、音声反射板を最適な位置に配置できる効果がある。
【図面の簡単な説明】
【００１５】
【図１】本発明の実施例１の斜視図である。
【図２】実施例１の作用を示す側面図である。
【図３】本発明の実施例２の斜視図である。
【図４】実施例２の作用を示す斜視図である。
【図５】本発明の実施例３の斜視図である。
【図６】実施例３の作用を示す斜視図である。
【図７】本発明の実施例４の斜視図である。
【図８】実施例４の作用を示す側面図である。
【発明を実施するための形態】
【００１６】
人の頭あるいは首に装着する装着手段に音声反射板を取り付ける。そして、装着手段を装着した時、音声反射板が人の口の前に対面配置するようにする。また、音声反射板で反射された音声がこもらないで自然な音で聞けるように、音声反射板の縁の８０％以上と頭および装着手段の距離が２ｃｍ以上離れるようにする。
【実施例１】
【００１７】
次に、添付図面に従い、本発明を詳細に説明する。図１は本発明の首掛け式の実施例１を示す斜視図である。図１に示すように、プラスチックパイプなどで作成するＵ字状の首掛けフレーム１にコの字状の取り付けフレーム２を接続して装着手段にする。図１では首掛けフレーム端３、４が中空のパイプになっていて、取り付けフレーム端５，６を挿入して接続している。取り付けフレーム端６は水平フレーム７を挿入するスライド部８を有する。そして、水平フレーム７には音声反射板９を取り付ける。
【００１８】
次に、実施例１の作用を図１および図２を用いて説明する。先ずスライド部８を水平フレーム７上を滑らせて、水平フレーム７と取付フレーム端６を分離する。そして、首掛けフレーム端３を軸受けにして、取り付けフレーム端５を回すと、取付フレーム２が開き、首掛けフレーム１の中に首１０を入れる事ができる。次に逆に、取り付けフレーム端５を逆回転すると共に、水平フレーム７をスライド部８に通して取り付けフレーム２を閉じ、スライド部８を水平フレーム７に沿ってスライドして、首掛けフレーム１で軽く首を挟むと、首掛けフレーム１は首１０に装着される。また同時に、音声反射板９も口１１の前方に配置される。次に首掛けフレーム１を首１０の前後に滑らせて、音声反射板９の縁１２の８０％以上を首１０と口１１を含む頭１３から２ｃｍ以上離すように配置する事ができる。この時、首掛けフレーム１や取付フレーム２からなる装着手段と縁１２の８０％以上の距離も２ｃｍ以上になるように、装着手段はできるだけ細く製作している。頭１３や装着手段と縁１２の８０％以上の距離が２ｃｍより狭くなると、音声反射板９から反射する音声がこもり不自然になる事は実験によって確認した。
【実施例２】
【００１９】
次に、図３は本発明のヘッドホン式の実施例２を示す斜視図である。図３に示すように、プラスチック板などで作成する半円弧状のヘッドフレーム１４にＬ字状の取り付けフレーム１５を接続して装着手段にする。図３ではヘッドフレーム端１６、１７がドーナツ型をしているが、必ずしも閉じたドーナツ型でなくとも、半円状のように一部開いていても趣旨は同じである。取り付けフレーム端１８には音声反射板１９を取り付ける。取付フレーム１５は形状記憶プラスチックのように曲げて形状を保つ素材を使用している。
【００２０】
次に実施例２の作用を図３と図４を用いて説明する。図４に示すように、ヘッドフレーム１４を頭２０に被せる。そして、ドーナツ状のヘッドフレーム端１６は耳２１の周りに配置される。この時、ヘッドフレーム端１６のドーナツ状の内側は開放なので、ヘッドフレーム端１６は耳２１に被らない。図には示さないが、反対側のヘッドフレーム端１７も同様である。また、ヘッドフレーム端１６の先端から伸びる取り付けフレーム１５は曲げて形状を保てるので、音声反射板１９を口２２の前に配置できる。取り付けフレーム１５の曲がり具合を操作して、音声反射板１９の縁２３の８０％以上を顔２４を含む頭２０から２ｃｍ以上離す事は容易である。また、音声反射板１９を取り付ける取り付フレーム１５は細くできるので、縁２３の８０％以上を取り付けフレーム１５から２ｃｍ以上離す事も容易である。もちろん、取り付けフレーム１５をねじったり、曲げたり、伸ばしたりする事で、音声反射板１９の口２２に対面する角度、高さ、距離を調節する事ができる。
【実施例３】
【００２１】
次に、図５は本発明のヘルメット式の実施例３を示す斜視図である。図５に示すように、ヘルメット２５から伸びる角状の取付フレーム２６，２７を付けて装着手段にする。取付フレーム２６，２７は取り付けパイプ２８，２９と取り付け棒３０，３１で構成する。取り付け棒３０は取り付けパイプ２８に挿入し、取り付け棒３１は取り付けパイプ２９に挿入する。そして、取り付け棒３０，３１の先端３２，３３に音声反射板３４を取り付ける。
【００２２】
次に、実施例３の作用を図５と図６を用いて説明する。ヘルメット２５を頭３５に被る。すると、音声反射板３４は口３６，鼻３７，目３８の前方に配置される。取り付け棒３０，３１は取り付けパイプ２８，２９の中をスライドして取り付けフレーム２６，２７の長さを調節する。従って、取り付けフレーム２６，２７の長さを操作して、音声反射板３４の縁３９の８０％以上が顔４０を含む頭３５から２ｃｍ以上離れるように事は容易である。もちろん、音声反射板３４を取り付ける取り付かフレーム２６，２７は細くできるので、縁３９の８０％以上を取り付けフレーム２６，２７及びヘルメット２５から２ｃｍ以上離す事も容易である。ところで、音声反射板３４は実施例１，２と同じように口３６の前方だけに配置しても良い。音声反射板３４を目３８の前方まで配置すると、歌の歌詞を見る時などに音声反射板３４を通して見る事になるので、音声反射板３４は透明性の高い材料を使用するのが好ましい。
【実施例４】
【００２３】
図７は本発明の眼鏡式の実施例４を示す斜視図である。図７に示すように、プラスチックパイプなどで作成する耳掛けフレーム４１と耳掛けフレーム４１の中央に付ける鼻掛け器具４２で眼鏡フレーム４３を作成する。耳掛けフレーム４１には、取り付けフレーム４４を接続して装着手段にする。取り付けフレーム４４は、形状記憶プラスチックのように曲げて形状を保つ素材を使用している。そして取り付けフレーム端４５には音声反射板４６を取り付ける。
【００２４】
次に実施例４の作用を図７と図８を用いて説明する。図８に示すように、耳掛けフレーム４１を耳にかけ、鼻掛け器具４２を鼻４７にかけて、眼鏡フレーム４３を顔４８に装着する。すると、耳掛けフレーム４１から伸びる取り付けフレーム４４は曲げて形状を保てるので、音声反射板４６を口４９の前に配置できる。取付フレーム４４の曲がり具合を操作して、音声反射板４６の縁５０の８０％以上を顔４８を含む頭５１から２ｃｍ以上離す事は容易である。また、音声反射板４６を取り付ける取付フレーム４４は細くできるので、縁５０の８０％以上を取り付けフレーム４４、眼鏡フレーム４３で構成する装着手段から２ｃｍ以上離す事も容易にできる。
もちろん、取り付けフレーム４４をねじったり、曲げたり、伸ばしたりする事で、音声反射板４６の口４９に対面する角度、高さ、距離を調節する事ができる。
【００２５】
次に実施例１に音声反射板の角度調節手段と高さ調節手段を加えた実施例５を図１を使用して示す。先ず、音声反射板９に付けたパイプ５２に水平フレーム７を回転自在に挿入して角度調節手段５３にする。そして、首掛けフレーム端３，４にパイプ５４，５５を固定し、パイプ５４，５５に高さ調節棒５６，５７を挿入して高さ調節手段５８，５９にする。
【００２６】
次に実施例５の作用を、図２を使用して説明する。水平フレーム７を軸にしてパイプ５２は回転自在なので、音声反射板９は口１１との対面角度を自在に調節できる。また、パイプ５５の中を高さ調節棒５７がスライドして、高さ調節手段５９の長さを変化させる事で、音声反射板９の肩６０からの高さを調節する。高さ調節手段５８についても同様である。さらに、首掛けフレーム１を首１０の前後にスライドさせる事で、音声反射板９の口１１からの対面距離を調節する事ができる。
【産業上の利用可能性】
【００２７】
語学やカラオケなどの歌の練習器具になる。
【符号の説明】
【００２８】
１ は首掛けフレーム
２ は取り付けフレーム
７は水平フレーム
９は音声反射板
１４ はヘッドフレーム
２５はヘルメット
４１は耳掛けフレーム
４２は鼻掛け器具
４３は眼鏡フレーム
【図１】
2016138919.tif 000003
【図２】
2016138919.tif 000004
【図３】
2016138919.tif 000005
【図４】
2016138919.tif 000006
【図５】
2016138919.tif 000007
【図６】
2016138919.tif 000008
【図７】
2016138919.tif 000009
【図８】
2016138919.tif 000010